(57)【要約】【課題】低い変調度から高い変調度への変化を素早く検出し、高い変調度に変化したことを検出した後における変調度の変化量を小さくする。【解決手段】変調度検出回路は、音声信号の絶対値を出力する絶対値出力回路と、絶対値または直前に出力された変調度に応じた比較値の何れか大きい方を変調度として出力する変調度出力回路と、変調度出力回路から出力される変調度を第２の変調度として所定の時間遅らせて出力する遅延回路と、変調度出力回路から直前に出力された変調度である第１の変調度と、遅延回路から出力される第２の変調度との比較結果を出力する比較回路と、比較回路から出力される比較結果に基づいて、第１の変調度が第２の変調度より大きい場合は、第１の変調度を前記比較値として変調度出力回路に出力し、第１の変調度が第２の変調度以下である場合は、第１の変調度を減少させた値を前記比較値として変調度出力回路に出力する出力回路とを備える。【選択図】  図２
2006333074.tif 000002
【特許請求の範囲】
【請求項１】
ＦＭ信号の振幅を示す変調度を検出して出力する変調度検出回路であって、
前記ＦＭ信号の絶対値が直前に出力された前記変調度に応じた比較値以上である場合は前記絶対値に応じた値を前記ＦＭ信号の変調度として出力し、前記絶対値が前記比較値未満である場合は直前に出力された前記ＦＭ信号の変調度を減少させて出力する機能を有すること、
を特徴とする変調度検出回路。
【請求項２】
請求項１に記載の変調度検出回路であって、
前記ＦＭ信号の絶対値を出力する絶対値出力回路と、
前記絶対値または前記比較値の何れか大きい方を前記ＦＭ信号の変調度として出力する変調度出力回路と、
前記変調度出力回路から直前に出力された変調度である第１の変調度が、前記第１の変調度の直前に前記変調度出力回路から出力された変調度である第２の変調度より大きい場合は、前記第１の変調度を前記比較値として前記変調度出力回路に出力し、前記第１の変調度が前記第２の変調度以下である場合は、前記第１の変調度を減少させた値を前記比較値として前記変調度出力回路に出力する比較値出力回路と、
を備えることを特徴とする変調度検出回路。
【請求項３】
請求項２に記載の変調度検出回路であって、
前記比較値出力回路は、
前記変調度出力回路から出力される前記変調度を前記第２の変調度として所定の時間遅らせて出力する遅延回路と、
前記変調度出力回路から出力される前記第１の変調度と、前記遅延回路から出力される前記第２の変調度との比較結果を出力する比較回路と、
前記比較回路から出力される前記比較結果に基づいて、前記第１の変調度が前記第２の変調度より大きい場合は、前記第１の変調度を前記比較値として前記変調度出力回路に出力し、前記第１の変調度が前記第２の変調度以下である場合は、前記第１の変調度を減少させた値を前記比較値として前記変調度出力回路に出力する出力回路と、
を備えることを特徴とする変調度検出回路。
【請求項４】
請求項３に記載の変調度検出回路であって、
前記出力回路は、
前記第１の変調度に１未満の所定の値を乗じた値を前記第１の変調度を減少させた値として出力する乗算回路を含んで構成されること、
を特徴とする変調度検出回路。
【請求項５】
ＦＭ信号から音声信号を検波して出力する検波回路と、
前記検波回路から出力される前記音声信号に基づいて前記ＦＭ信号の振幅を示す変調度を検出して出力する変調度検出回路と、
前記変調度検出回路から出力される前記変調度が所定の値未満である場合は、前記ＦＭ信号に含まれるノイズを除去して出力し、前記変調度が前記所定の値以上である場合は、前記ＦＭ信号に含まれるノイズを除去せずに出力するノイズ除去回路と、
を備え、
前記変調度検出回路は、
前記音声信号の絶対値が直前に出力された前記変調度に応じた比較値以上である場合は前記絶対値に応じた値を前記ＦＭ信号の変調度として出力し、前記絶対値が前記比較値未満である場合は直前に出力された前記ＦＭ信号の変調度を減少させて出力すること、
を特徴とするノイズ処理回路。
【請求項６】
請求項５に記載のノイズ処理回路であって、
前記変調度検出回路は、
入力される前記音声信号の絶対値を出力する絶対値出力回路と、
前記絶対値または前記比較値の何れか大きい方を前記ＦＭ信号の変調度として出力する変調度出力回路と、
前記変調度出力回路から直前に出力された前記変調度である第１の変調度が、前記第１の変調度の直前に前記変調度出力回路から出力された変調度である第２の変調度より大きい場合は、前記第１の変調度を前記比較値として前記変調度出力回路に出力し、前記第１の変調度が前記第２の変調度以下である場合は、前記第１の変調度を減少させた値を前記比較値として前記変調度出力回路に出力する比較値出力回路と、
を備えることを特徴とするノイズ処理回路。
【請求項７】
請求項６に記載のノイズ処理回路であって、
前記比較値出力回路は、
前記変調度出力回路から出力される前記変調度を前記第２の変調度として所定の時間遅らせて出力する遅延回路と、
前記変調度出力回路から出力される前記第１の変調度と、前記遅延回路から出力される前記第２の変調度との比較結果を出力する比較回路と、
前記比較回路から出力される前記比較結果に基づいて、前記第１の変調度が前記第２の変調度より大きい場合は、前記第１の変調度を前記比較値として前記変調度出力回路に出力し、前記第１の変調度が前記第２の変調度以下である場合は、前記第１の変調度を減少させた値を前記比較値として前記変調度出力回路に出力する出力回路と、
を備えることを特徴とするノイズ処理回路。
【請求項８】
請求項７に記載のノイズ処理回路であって、
前記出力回路は、
前記第１の変調度に１未満の所定の値を乗じた値を前記第１の変調度を減少させた値として出力する乗算回路を含んで構成されること、
を特徴とするノイズ処理回路。
【請求項９】
ＦＭ信号の振幅を示す変調度を検出して出力する方法であって、
前記ＦＭ信号の絶対値が直前に出力された前記変調度に応じた比較値以上である場合は前記絶対値に応じた値を前記ＦＭ信号の変調度として出力し、前記絶対値が前記比較値未満である場合は直前に出力された前記変調度を減少させて出力すること、
を特徴とする変調度検出方法。
【請求項１０】
請求項９に記載の変調度検出方法であって、
前記音声信号の絶対値を出力し、
直前に出力された前記変調度である第１の変調度が、前記第１の変調度の直前に出力された変調度である第２の変調度より大きい場合は、前記第１の変調度を比較値として出力し、前記第１の変調度が前記第２の変調度以下である場合は、前記第１の変調度を減少させた値を比較値として出力し、
前記絶対値または前記比較値の何れか大きい方を前記音声信号の変調度として出力すること、
を特徴とする変調度検出方法。
【請求項１１】
請求項１０に記載の変調度検出方法であって、
前記比較値を出力する際には、
出力される前記変調度を前記第２の変調度として所定の時間遅らせて出力し、
前記第１の変調度と前記第２の変調度との比較結果を出力し、
前記比較結果に基づいて、前記第１の変調度が前記第２の変調度より大きい場合は、前記第１の変調度を前記比較値として出力し、前記第１の変調度が前記第２の変調度以下である場合は、前記第１の変調度を減少させた値を前記比較値として出力すること、
を特徴とする変調度検出方法。
【請求項１２】
請求項１１に記載の変調度検出回路であって、
前記第１の変調度を減少させた値を前記比較値として出力する際には、
前記第１の変調度に１未満の所定の値を乗じた値を出力すること、
を特徴とする変調度検出方法。
【発明の詳細な説明】
【技術分野】
【０００１】
本発明は、変調度検出回路、ノイズ処理回路、及び変調度検出方法に関する。
【背景技術】
【０００２】
ＦＭラジオ受信機においては、放送局から送信されたＦＭ信号が山や高層ビルなどで反射されることにより発生するマルチパスノイズを除去することが一般的に行われている。図７は、マルチパスノイズを含んだ中間周波信号を示す図である。ＦＭラジオ受信機では、中間周波信号の包絡線の交流成分によりマルチパスノイズを検出する。そして、マルチパスノイズが検出されると、中間周波信号の振幅を平滑化することにより、マルチパスノイズの除去が行われる。
【０００３】
このようなマルチパスノイズを除去する処理としては、例えば、ＦＭ信号の振幅を示す変調度に応じて制御するものがある。図８は、ＦＭ信号の変調度に応じた中間周波信号のスペクトラム分布を示す図である。図８に示すように、変調度が高いほど、中間周波信号の周波数分布は広がることとなる。そして、隣接妨害等の影響を除去するためにバンドパスフィルタ等を用いて帯域制限を行うと、変調度が高い場合には、帯域外の周波数の信号が減衰されることとなる。
【０００４】
図９は、変調度が高い場合における、帯域制限による中間周波信号の変化を示す図である。図に示すように、例えば、中間周波信号のうち帯域外にある高周波の部分は、帯域制限によって減衰され、振幅が小さくなる。前述したように、ＦＭラジオ受信機の中には、中間周波信号の振幅の変化によってマルチパスノイズを検出するものがあり、このような帯域制限による振幅の変化もマルチパスノイズであると誤認してしまうことがある。
【０００５】
図１０は、変調度が高いときにマルチパスノイズの除去処理を行うことにより発生する音声信号の歪みの例を示す図である。図１０においては、時刻ｔ１に、低い変調度から高い変調度に切り替わっている。図の破線で囲んだ部分に示されるように、変調度が高い場合にマルチパスノイズを除去する処理が行われると、信号の歪みが発生し音質が劣化することとなる。
【０００６】
そこで、ＦＭ信号の変調度を検出し、変調度が所定の基準値より大きい場合には、マルチパスノイズを除去する処理を停止するように制御することが行われている（例えば、特許文献１。）。そして、ＦＭ信号の変調度の検出方法としては、所定期間の信号レベルの平均値をとる方法が一般的に用いられている（例えば、特許文献２。）。
【特許文献１】特開２０００−４９７２３号公報
【特許文献２】特開平１０−１３５８５６号公報
【発明の開示】
【発明が解決しようとする課題】
【０００７】
図１１は、平均値により変調度を検出する場合の検出される変調度の推移の例を示す図である。図１１においては、時刻ｔ１に、低い変調度から高い変調度に切り替わっている。図に示すように、平均値により変調度を検出する場合、長い時間で平均すると、変調度の変化に対して俊敏に反応することができない。そのため、低い変調度から高い変調度に変化した際に、変調度が所定の基準値より大きくなっていることの検出が遅くなってしまう。したがって、変調度が高くなっているにもかかわらずマルチパスノイズの除去処理が行われてしまい、図１２に示すように、音声信号に歪みが発生してしまうこととなる。
【０００８】
一方、信号レベルを短い時間で平均することにより、変調度の変化を素早く検出することができる。しかしながら、短い時間で平均すると、高い変調度に変化したことを検出した後において、検出される変調度の変化量が大きくなってしまい、マルチパスノイズの除去処理のオンオフが頻繁に切り替わる等、処理が不安定な状態となってしまう。
【０００９】
本発明は上記課題を鑑みてなされたものであり、低い変調度から高い変調度への変化の検出が速く、高い変調度への変化を検出した後においては検出される変調度の変化量が小さい変調度検出回路、前記変調度検出回路を用いたノイズ処理回路、及び変調度検出方法を提供することを目的とする。
【課題を解決するための手段】
【００１０】
上記目的を達成するため、本発明の変調度検出回路は、ＦＭ信号の振幅を示す変調度を検出して出力する変調度検出回路であって、前記ＦＭ信号の絶対値が直前に出力された前記変調度に応じた比較値以上である場合は前記絶対値に応じた値を前記ＦＭ信号の変調度として出力し、前記絶対値が前記比較値未満である場合は直前に出力された前記ＦＭ信号の変調度を減少させて出力する機能を有することとする。
【００１１】
そして、前記変調度検出回路は、前記ＦＭ信号の絶対値を出力する絶対値出力回路と、前記絶対値または前記比較値の何れか大きい方を前記ＦＭ信号の変調度として出力する変調度出力回路と、前記変調度出力回路から直前に出力された変調度である第１の変調度が、前記第１の変調度の直前に前記変調度出力回路から出力された変調度である第２の変調度より大きい場合は、前記第１の変調度を前記比較値として前記変調度出力回路に出力し、前記第１の変調度が前記第２の変調度以下である場合は、前記第１の変調度を減少させた値を前記比較値として前記変調度出力回路に出力する比較値出力回路と、を備えることとすることができる。
【００１２】
また、前記比較値出力回路は、前記変調度出力回路から出力される前記変調度を前記第２の変調度として所定の時間遅らせて出力する遅延回路と、前記変調度出力回路から出力される前記第１の変調度と、前記遅延回路から出力される前記第２の変調度との比較結果を出力する比較回路と、前記比較回路から出力される前記比較結果に基づいて、前記第１の変調度が前記第２の変調度より大きい場合は、前記第１の変調度を前記比較値として前記変調度出力回路に出力し、前記第１の変調度が前記第２の変調度以下である場合は、前記第１の変調度を減少させた値を前記比較値として前記変調度出力回路に出力する出力回路と、を備えることとすることができる。
【００１３】
さらに、前記出力回路は、前記第１の変調度に１未満の所定の値を乗じた値を前記第１の変調度を減少させた値として出力する乗算回路を含んで構成されることとすることができる。
【００１４】
また、本発明のノイズ処理回路は、ＦＭ信号から音声信号を検波して出力する検波回路と、前記検波回路から出力される前記音声信号に基づいて前記ＦＭ信号の振幅を示す変調度を検出して出力する変調度検出回路と、前記変調度検出回路から出力される前記変調度が所定の値未満である場合は、前記ＦＭ信号に含まれるノイズを除去して出力し、前記変調度が前記所定の値以上である場合は、前記ＦＭ信号に含まれるノイズを除去せずに出力するノイズ除去回路と、を備え、前記変調度検出回路は、前記音声信号の絶対値が直前に出力された前記変調度に応じた比較値以上である場合は前記絶対値に応じた値を前記ＦＭ信号の変調度として出力し、前記絶対値が前記比較値未満である場合は直前に出力された前記ＦＭ信号の変調度を減少させて出力することとする。
【００１５】
また、本発明の変調度検出方法は、ＦＭ信号の振幅を示す変調度を検出して出力する方法であって、前記ＦＭ信号の絶対値が直前に出力された前記変調度に応じた比較値以上である場合は前記絶対値に応じた値を前記ＦＭ信号の変調度として出力し、前記絶対値が前記比較値未満である場合は直前に出力された前記変調度を減少させて出力することとする。
【発明の効果】
【００１６】
低い変調度から高い変調度への変化の検出が速く、高い変調度への変化を検出した後においては検出される変調度の変化量が小さい変調度検出回路、前記変調度検出回路を用いたノイズ処理回路、及び変調度検出方法を提供することができる。
【発明を実施するための最良の形態】
【００１７】
＝＝全体構成＝＝
図１は、本発明の一実施形態である変調度検出回路を含んで構成されるＦＭラジオ受信機の構成の一例を示す図である。ＦＭラジオ受信機１は、アンテナ１１、高周波増幅回路１２、周波数変換回路１３、中間周波フィルタ１４、中間周波増幅回路１５、マルチパス検出回路１６、ノイズ除去回路１７、検波回路１８、変調度検出回路１９、低周波増幅回路２０、及びスピーカ２１を含んで構成されている。
【００１８】
アンテナ１１は、放送局から送信されるＦＭ変調された高周波信号（ＦＭ信号）を受信する。高周波増幅回路１２は、アンテナ１１で受信した高周波信号を増幅して出力する。周波数変換回路１３は、増幅された高周波信号を中間周波信号に変換して出力する。中間周波フィルタ１４は、隣接チャンネル波等の不要成分を除去するため、中間周波信号を所定の周波数帯域幅で通過させて出力する。中間周波増幅回路１５は、中間周波信号を増幅し、サンプリングによってデジタル信号に変換して出力する。
【００１９】
マルチパス検出回路１６は、中間周波信号の振幅の変化により、マルチパスノイズの有無を検出する。ノイズ除去回路１７は、マルチパスノイズ検出回路１６においてマルチパスノイズが検出されると、中間周波信号の振幅の変化を補正することによりノイズ除去を行う。検波回路１８は、ノイズ除去された中間周波信号から音声信号を取り出して出力する。変調度検出回路１９は、検波回路１８から出力される音声信号（検波信号）に基づいて、ＦＭ信号の変調度を検出して出力する。なお、ＦＭ信号の変調度とは、放送局から送信される変調されたＦＭ信号の振幅によって示されるものであり、検波回路１８から出力される音声信号の振幅が大きいほど、ＦＭ信号の変調度が高いこととなる。
【００２０】
そして、ノイズ除去回路１７は、変調度検出回路１９から出力される変調度が所定の値以上である場合は、ノイズ除去処理を行わずに中間周波信号を出力する。これは、変調度が高い場合は、中間周波フィルタ１４によって帯域外の周波数が減衰されることにより、中間周波信号の振幅に変化が生じており、このような信号に対してノイズ除去処理を行うと、信号の歪みが発生し音質が劣化してしまうからである。
【００２１】
低周波増幅回路２０は、検波回路１８から出力される音声信号の低周波を増幅するとともにアナログ信号に変換し、スピーカ２１から音声を出力する。
【００２２】
なお、図１において破線で囲まれたマルチパス検出回路１６、ノイズ除去回路１７、検波回路１８、及び変調度検出回路１９が、本発明のノイズ処理回路に相当するものである。
【００２３】
＝＝変調度検出回路＝＝
次に、変調度検出回路１９の詳細について説明する。図２は、変調度検出回路１９の構成の一例を示す図である。変調度検出回路１９は、絶対値出力回路３１、変調度出力回路３２、遅延回路３３、比較回路３４、及び出力回路３５を含んで構成されている。なお、遅延回路３３、比較回路３４、及び出力回路３５により、本発明の比較値出力回路が構成されている。
【００２４】
絶対値出力回路３１は、検波回路１８から出力される検波信号ｘ（ｎ）の絶対値を出力する。変調度出力回路３２は、絶対値出力回路３１から出力される検波信号の絶対値｜ｘ（ｎ）｜と、変調度出力回路３２から直前に出力された変調度ｙ（ｎ−１）に応じた比較値ｙ’（ｎ）とを比較し、何れか大きい方の値を変調度ｙ（ｎ）として出力する。
【００２５】
遅延回路３３は、変調度出力回路３２が出力する変調度ｙ（ｎ）（第１の変調度）の直前に出力された変調度ｙ（ｎ−１）（第２の変調度）を出力する。つまり、遅延回路３３は、変調度出力回路３２から出力される変調度を所定の時間遅らせて比較回路３４に出力する回路であり、例えば、レジスタ等により実現することができる。
【００２６】
比較回路３４は、変調度出力回路３２から出力された変調度ｙ（ｎ）と、その直前に出力された変調度ｙ（ｎ−１）との比較結果を出力する。出力回路３５は、比較回路３４から出力される比較結果に基づいて、変調度ｙ（ｎ）が変調度ｙ（ｎ−１）より大きい場合は、変調度ｙ（ｎ）を次回の比較値ｙ’（ｎ＋１）として出力し、変調度ｙ（ｎ）が変調度ｙ（ｎ−１）以下である場合は、変調度ｙ（ｎ）を減少させた値を次回の比較値ｙ’（ｎ＋１）として出力する。
【００２７】
なお、本実施形態においては、変調度ｙ（ｎ）を減少させた値を比較値ｙ’（ｎ＋１）とする際には、変調度ｙ（ｎ）に１未満の係数を乗ずることにより比較値ｙ’（ｎ＋１）を求めることとする。つまり、出力回路３５は、変調度ｙ（ｎ）に１未満の係数を乗じて出力する乗算回路を含んで構成されている。なお、変調度ｙ（ｎ）を減少させて出力する方法はこれに限られず、例えば、変調度ｙ（ｎ）から所定の値を減じて出力することとしてもよい。
【００２８】
このような変調度検出回路１９の動作を、フローチャートを用いて説明する。図３は、変調度検出回路１９の処理を示すフローチャートである。まず、検波信号ｘ（ｎ）が絶対値出力回路３１に入力され（Ｓ３０１）、絶対値出力回路３１がその絶対値｜ｘ（ｎ）｜を出力する（Ｓ３０２）。変調度出力回路３２は、絶対値出力回路３１から出力される絶対値｜ｘ（ｎ）｜と、出力回路３５から出力される比較値ｙ’（ｎ）とを比較する（Ｓ３０３）。そして、変調度出力回路３２は、絶対値｜ｘ（ｎ）｜が比較値ｙ’（ｎ）以上である場合は（Ｓ３０３：Ｎ）絶対値｜ｘ（ｎ）｜を変調度ｙ（ｎ）として出力し（Ｓ３０４）、絶対値｜ｘ（ｎ）｜が比較値ｙ’（ｎ）未満である場合は（Ｓ３０３：Ｙ）比較値ｙ’（ｎ）を変調度ｙ（ｎ）として出力する（Ｓ３０５）。
【００２９】
続いて、比較回路３４は、変調度出力回路３２から出力される変調度ｙ（ｎ）と、遅延回路３３から出力される一つ前の変調度ｙ（ｎ−１）との比較結果を出力する（Ｓ３０６）。出力回路３５は、変調度ｙ（ｎ）が変調度ｙ（ｎ−１）より大きい場合は（Ｓ３０６：Ｙ）、変調度ｙ（ｎ）を次の比較値ｙ’（ｎ＋１）として出力し（Ｓ３０７）、変調度ｙ（ｎ）が変調度ｙ（ｎ−１）以下である場合は（Ｓ３０６：Ｎ）、変調度ｙ（ｎ）に１未満の係数αを乗じた値を次の比較値ｙ’（ｎ＋１）として出力する（Ｓ３０８）。そして、次の検波信号ｘ（ｎ＋１）に対して同様の処理（Ｓ３０１〜Ｓ３０８）が繰り返し行われる（Ｓ３０９）。
【００３０】
次に、変調度検出回路１９から出力される変調度の推移について説明する。図４は、変調度が低い状態から高い状態へ変化する際の、変調度検出回路１９から出力される変調度の推移の具体例を示す図である。  
図４（ａ）は、検波信号ｘ（ｎ）の絶対値｜ｘ（ｎ）｜の波形を示す図である。また、図４（ｂ）は、絶対値｜ｘ（ｎ）｜、比較値ｙ’（ｎ）、及び変調度ｙ（ｎ）の関係を示す図である。そして、図４（ｃ）は、出力される変調度ｙ（ｎ）の推移を示す図である。
【００３１】
図４（ａ）〜（ｃ）に示すように、本例においては、初期状態である時刻Ｔ０においては、変調度検出回路１９から出力されている変調度ｙ（ｎ）はゼロである。そして、図４（ａ）に示すように、時刻Ｔ０から、振幅３の検波信号が変調度検出回路１９に入力されることとする。なお、本例においては、変調度を減少させるための係数αを０．９とし、計算結果は小数点第２位を四捨五入して表している。なお、図４に示した数値は説明を行う上で便宜的に設定したものであり、実際のＦＭ信号における数値を示すものではない。
【００３２】
時刻Ｔ０から検波信号の絶対値｜ｘ（ｎ）｜が増加しはじめ、時刻Ｔ１における検波信号の絶対値｜ｘ（ｎ）｜は１．５となっている。そして、時刻Ｔ０におけるｙ（ｎ）がゼロであるため、時刻Ｔ１における比較値ｙ’（ｎ）はゼロとなっている。したがって、時刻Ｔ１においては、絶対値｜ｘ（ｎ）｜が比較値ｙ’（ｎ）以上であるため、絶対値｜ｘ（ｎ）｜＝１．５が変調度ｙ（ｎ）として出力される。そして、変調度ｙ（ｎ）が時刻Ｔ０の変調度ｙ（ｎ−１）よりも大きいため、変調度ｙ（ｎ）＝１．５が次の比較値ｙ’（ｎ＋１）となる。
【００３３】
さらに検波信号の絶対値｜ｘ（ｎ）｜が増加し、時刻Ｔ２における絶対値｜ｘ（ｎ）｜は２．５となっている。このとき、絶対値｜ｘ（ｎ）｜が比較値ｙ’（ｎ）（時刻Ｔ１に生成されたｙ’（ｎ＋１））以上であるため、絶対値｜ｘ（ｎ）｜＝２．５が変調度ｙ（ｎ）として出力される。そして、変調度ｙ（ｎ）が時刻Ｔ１の変調度ｙ（ｎ−１）よりも大きいため、変調度ｙ（ｎ）＝２．５が次の比較値ｙ’（ｎ＋１）となる。
【００３４】
そして、時刻Ｔ３に、検波信号の絶対値｜ｘ（ｎ）｜がピーク値の３になっている。このとき、絶対値｜ｘ（ｎ）｜が比較値ｙ’（ｎ）（時刻Ｔ２に生成されたｙ’（ｎ＋１））以上であるため、絶対値｜ｘ（ｎ）｜＝３が変調度ｙ（ｎ）として出力される。そして、変調度ｙ（ｎ）が時刻Ｔ２の変調度ｙ（ｎ−１）よりも大きいため、変調度ｙ（ｎ）＝３が次の比較値ｙ’（ｎ＋１）となる。
【００３５】
その後、検波信号の絶対値｜ｘ（ｎ）｜が減少しはじめ、時刻Ｔ４における検波信号の絶対値｜ｘ（ｎ）｜は２．５となっている。このとき、絶対値｜ｘ（ｎ）｜が比較値ｙ’（ｎ）（時刻Ｔ３に生成されたｙ’（ｎ＋１））未満であるため、比較値ｙ’（ｎ）＝３が変調度ｙ（ｎ）として出力される。そして、変調度ｙ（ｎ）が時刻Ｔ３の変調度ｙ（ｎ−１）以下であるため、変調度ｙ（ｎ）に係数αを乗じて得られる２．７が次の比較値ｙ’（ｎ＋１）となる。
【００３６】
さらに検波信号の絶対値｜ｘ（ｎ）｜が減少し、時刻Ｔ５における絶対値｜ｘ（ｎ）｜は１．５となっている。このとき、絶対値｜ｘ（ｎ）｜が比較値ｙ’（ｎ）（時刻Ｔ４に生成されたｙ’（ｎ＋１））未満であるため、比較値ｙ’（ｎ）＝２．７が変調度ｙ（ｎ）として出力される。そして、変調度ｙ（ｎ）が時刻Ｔ４の変調度ｙ（ｎ−１）以下であるため、変調度ｙ（ｎ）に係数αを乗じて得られる２．４が次の比較値ｙ’（ｎ＋１）となる。
【００３７】
そして、時刻Ｔ６に、検波信号の絶対値｜ｘ（ｎ）｜が最小値の０になっている。このとき、絶対値｜ｘ（ｎ）｜が比較値ｙ’（ｎ）（時刻Ｔ５に生成されたｙ’（ｎ＋１））未満であるため、比較値ｙ’（ｎ）＝２．４が変調度ｙ（ｎ）として出力される。そして、変調度ｙ（ｎ）が時刻Ｔ５の変調度ｙ（ｎ−１）以下であるため、変調度ｙ（ｎ）に係数αを乗じて得られる２．２が次の比較値ｙ’（ｎ＋１）となる。
【００３８】
そして、時刻Ｔ６から再び検波信号の絶対値｜ｘ（ｎ）｜が増加しはじめ、時刻Ｔ７における検波信号の絶対値｜ｘ（ｎ）｜は１．５となっている。このとき、絶対値｜ｘ（ｎ）｜が比較値ｙ’（ｎ）（時刻Ｔ６に生成されたｙ’（ｎ＋１））未満であるため、比較値ｙ’（ｎ）＝２．２が変調度ｙ（ｎ）として出力される。そして、変調度ｙ（ｎ）が時刻Ｔ６の変調度ｙ（ｎ−１）以下であるため、変調度ｙ（ｎ）に係数αを乗じて得られる２．０が次の比較値ｙ’（ｎ＋１）となる。
【００３９】
さらに検波信号の絶対値｜ｘ（ｎ）｜が増加し、時刻Ｔ８における絶対値｜ｘ（ｎ）｜は２．５となっている。このとき、絶対値｜ｘ（ｎ）｜が比較値ｙ’（ｎ）（時刻Ｔ７に生成されたｙ’（ｎ＋１））以上であるため、絶対値｜ｘ（ｎ）｜＝２．５が変調度ｙ（ｎ）として出力される。そして、変調度ｙ（ｎ）が時刻Ｔ７の変調度ｙ（ｎ−１）よりも大きいため、変調度ｙ（ｎ）＝２．５が次の比較値ｙ’（ｎ＋１）となる。
【００４０】
そして、時刻Ｔ９に、再び、検波信号の絶対値｜ｘ（ｎ）｜がピーク値の３になっている。このとき、絶対値｜ｘ（ｎ）｜が比較値ｙ’（ｎ）（時刻Ｔ８に生成されたｙ’（ｎ＋１））以上であるため、絶対値｜ｘ（ｎ）｜＝３が変調度ｙ（ｎ）として出力される。
【００４１】
このように、変調度検出回路１９においては、検波信号の絶対値｜ｘ（ｎ）｜が直前に出力された変調度ｙ（ｎ−１）に応じた比較値ｙ’（ｎ）以上である場合は絶対値｜ｘ（ｎ）｜を変調度ｙ（ｎ）として出力し、絶対値｜ｘ（ｎ）｜が比較値ｙ’（ｎ）未満である場合は直前に出力された変調度ｙ（ｎ−１）に係数αを乗じた値（ｙ’（ｎ））を変調度ｙ（ｎ）として出力している。これにより、図４（ｃ）からも明らかなように、変調度が低い状態から高い状態へ変化したことを素早く検出することができる。また、変調度を減少させる際には、直前に出力された変調度に係数αを乗じた値を変調度として出力しているため、変調度の変化量を小さくすることができる。なお、本例においては、係数αを０．９としたが、係数αの値はこれに限られるものではない。例えば、係数αを、より１に近づけた値とすることにより、検出される変調度の変化量をさらに小さくすることも可能である。
【００４２】
＝＝シミュレーション結果＝＝
次に、変調度検出回路１９におけるシミュレーション結果を示す。図５は、変調度検出回路１９から出力される変調度の推移を示す図である。なお、時刻ｔ１に、検波回路１８から出力される音声信号の変調度が低い変調度から高い変調度に切り替わっている。図５から明らかなように、時刻ｔ１に変調度が切り替わると、変調度検出回路１９において検出される変調度も素早く高い値に変化し、その後は、変調度の変化量が小さくなっている。
【００４３】
図６は、このような変調度検出回路１９を用いる場合の、検波回路１８から出力される音声信号の波形を示す図である。図６に示されるように、従来例における図１０又は図１２の波形とは異なり、時刻ｔ１に低い変調度から高い変調度に切り替わった後において、音声信号に歪みが生じていないことがわかる。これは、本実施形態の変調度検出回路１９によって、高い変調度に切り替わったことが素早く検出され、ノイズ除去回路１７におけるマルチパスノイズの除去処理を停止する制御が迅速に行われるためである。
【００４４】
以上、本発明の一実施形態である変調度検出回路１９を含んで構成されるＦＭラジオ受信機１について説明した。前述したように、本実施形態の変調度検出回路１９は、検波信号の絶対値が直前に出力された変調度に応じた比較値以上である場合は検波信号の絶対値をＦＭ信号の変調度として出力し、検波信号の絶対値が比較値未満である場合は直前に出力された変調度を減少させて出力する。これにより、図４の具体例または図５のシミュレーション結果からも明らかなように、低い変調度から高い変調度への変化を素早く検出し、検出後における変調度の変化量を小さくすることができる。
【００４５】
そして、変調度が高い場合にはノイズ除去処理を停止するノイズ処理回路に、本実施形態の変調度検出回路１９を適用することにより、効果的なノイズ除去処理を行うことができる。つまり、変調度検出回路１９を用いることにより、低い変調度から高い変調度への変化を素早く検出し、ノイズ除去回路１７におけるマルチパスノイズの除去処理を素早く停止することが可能となり、音声信号の歪みを抑制することができる。また、変調度検出回路１９においては、高い変調度を検出した後における変調度の変化量が小さいため、ノイズ除去回路１７におけるマルチパスノイズの除去処理のオンオフが頻繁に切り替わることがなく、処理を安定化することができる。
【００４６】
以上、本発明の実施形態について説明したが、上記実施形態は本発明の理解を容易にするためのものであり、本発明を限定して解釈するためのものではない。本発明は、その趣旨を逸脱することなく、変更、改良され得ると共に、本発明にはその等価物も含まれる。
【００４７】
例えば、本実施形態においては、変調度出力回路３２は、検波信号の絶対値と比較値とを比較し、絶対値が比較値以上である場合は絶対値を変調度として出力することとしたが、変調度として出力する値は絶対値そのものに限らず、絶対値に応じた値であればよい。例えば、絶対値に所定の係数を乗じた値を変調度として出力することとしてもよい。
【００４８】
また、例えば、本実施形態においては、変調度検出回路１９をノイズ除去回路に適用する例を示したが、変調度検出回路１９の用途はこれに限られるものではない。また、本実施形態においては、回路を用いて変調度を検出することとしたが、変調度検出回路１９によって実現される機能を、例えばＤＳＰ（Digital Signal Processor）等を用いてソフトウェアにより実現することも可能である。
【図面の簡単な説明】
【００４９】
【図１】本発明の一実施形態である変調度検出回路を含んで構成されるＦＭラジオ受信機の構成の一例を示す図である。
【図２】変調度検出回路の構成の一例を示す図である。
【図３】変調度検出回路の処理を示すフローチャートである。
【図４】変調度が低い状態から高い状態へ変化する際の、変調度検出回路から出力される変調度の推移の具体例を示す図である。
【図５】変調度検出回路から出力される変調度の推移を示す図である。
【図６】変調度検出回路を用いる場合の、検波回路から出力される音声信号の波形を示す図である。
【図７】マルチパスノイズを含んだ中間周波信号を示す図である。
【図８】ＦＭ信号の変調度に応じた中間周波信号のスペクトラム分布を示す図である。
【図９】変調度が高い場合における、帯域制限による中間周波信号の変化を示す図である。
【図１０】変調度が高い場合にマルチパスノイズの除去処理を行った場合に発生する音声信号の歪みの例を示す図である。
【図１１】平均値により変調度を検出する場合の検出される変調度の推移の例を示す図である。
【図１２】高い変調度への変化の遅れに伴う音声信号の歪みの例を示す図である。
【符号の説明】
【００５０】
１  ＦＭラジオ受信機                    １１  アンテナ
１２  高周波増幅回路                    １３  周波数変換回路
１４  中間周波フィルタ                  １５  中間周波増幅回路
１６  マルチパス検出回路                １７  ノイズ除去回路
１８  検波回路                          １９  変調度検出回路
２０  低周波増幅回路                    ２１  スピーカ
３１  絶対値出力回路                    ３２  変調度出力回路
３３  遅延回路                          ３４  比較回路
３５  出力回路
【図１】
2006333074.tif 000003
【図２】
2006333074.tif 000004
【図３】
2006333074.tif 000005
【図４】
2006333074.tif 000006
【図５】
2006333074.tif 000007
【図６】
2006333074.tif 000008
【図７】
2006333074.tif 000009
【図８】
2006333074.tif 000010
【図９】
2006333074.tif 000011
【図１０】
2006333074.tif 000012
【図１１】
2006333074.tif 000013
【図１２】
2006333074.tif 000014